(57)【特許請求の範囲】
【請求項１】
被加熱物が載置される複数の加熱口が設けられたトッププレートと、
前記複数の加熱口のそれぞれに対応して設けられた複数の加熱手段と、
前記トッププレートの下に設けられ、前記複数の加熱手段を収容する筐体と、
前記筐体内に隔壁によって区画形成された収納庫と、
前記筐体内に設けられた送風機と、
前記筐体内に設けられ、前記複数の加熱手段を駆動する駆動回路が実装された回路基板と、
前記収納庫に収納される収納庫ケースと、
内部に加熱室を有する加熱ケース及び前記加熱室内を加熱する第２加熱手段を有し、前記収納庫に収納される加熱ユニットとを備え、
前記複数の加熱手段は、第１加熱コイルと、前記第１加熱コイルよりも質量が大きい第２加熱コイルとを含み、
平面視において、前記第２加熱コイルの過半領域が、前記収納庫と重なる位置に配置されており、
前記収納庫は、前記筐体の高さ方向の中心よりも一方側に配置され、
前記送風機及び前記回路基板は、前記筐体の高さ方向の中心よりも高さ方向の他方側に配置されており、
前記収納庫ケースと前記加熱ユニットとが、選択的に前記収納庫に収納される
ことを特徴とする加熱調理器。
【請求項２】
平面視において、前記収納庫の過半領域が、前記筐体の幅方向の中心よりも一方側に配置され、
平面視において、前記送風機及び前記回路基板の過半領域が、前記筐体の幅方向の中心よりも他方側に配置されている
ことを特徴とする請求項１に記載の加熱調理器。
【請求項３】
２つの前記収納庫を備え、
前記２つの収納庫は、前記筐体の幅方向に並んで配置されている
ことを特徴とする請求項１に記載の加熱調理器。
【請求項４】
１つの前記収納庫を備え、
前記収納庫は、前記筐体の幅方向の中心よりも一方側の領域の過半領域及び前記筐体の幅方向の中心よりも他方側の領域の過半領域に渡って設けられている
ことを特徴とする請求項１に記載の加熱調理器。
【請求項５】
前記収納庫は、金属で構成され、
前記回路基板の基板は、前記金属よりも比重の小さい材料で構成されている
ことを特徴とする請求項１〜請求項４のいずれか一項に記載の加熱調理器。
【発明の詳細な説明】
【技術分野】
【０００１】
本発明は、トッププレートの上に載置される被加熱物を加熱する加熱手段と、筐体内に形成された収納庫とを有する加熱調理器に関する。
【背景技術】
【０００２】
従来、加熱調理器の筐体の上にトッププレートが設けられ、トッププレートの上の被加熱物を加熱する加熱調理器がある。このような加熱調理器として、筐体内に物品の収納庫を設けた加熱調理器が提案されている（例えば、特許文献１参照）。
【先行技術文献】
【特許文献】
【０００３】
【特許文献１】特開平１１−２７６３５４号公報（第６頁）
【発明の概要】
【発明が解決しようとする課題】
【０００４】
特許文献１に記載の加熱調理器は、筐体内に収納庫を備えており、加熱調理器の使用状態においては、収納庫に、調理道具、食器、及び調味料等の収納物が収納される。しかし、特許文献１では、収納庫を備えた加熱調理器を運搬したりキッチン家具に据え付けたりするときの作業性について考慮されていない。【０００５】
ここで、筐体内に収納庫を備えた加熱調理器の運搬及び据付の際には、作業者は、加熱調理器の左右を把持して持ち運ぶのが一般的である。このとき、筐体内の収納庫の中は、空の状態である。このため、加熱調理器に含まれる加熱コイル等の他の部品の配置によっては、作業者が加熱調理器の左右を把持して持ち上げたときに作業者にかかる荷重がアンバランスとなり、作業者が加熱調理器を落としてしまうおそれがあった。また、作業者にかかる荷重がアンバランスであると、運搬や据付の際に作業者に負荷がかかるとともに、作業効率を低下させるおそれがあった。【０００６】
本発明は、上記のような課題を背景としてなされたものであり、筐体内に収納庫を設けた加熱調理器の持ち運びやすさを向上させるものである。
【課題を解決するための手段】
【０００７】
本発明に係る加熱調理器は、被加熱物が載置される複数の加熱口が設けられたトッププレートと、前記複数の加熱口のそれぞれに対応して設けられた複数の加熱手段と、前記トッププレートの下に設けられ、前記複数の加熱手段を収容する筐体と、前記筐体内に隔壁によって区画形成された収納庫と、前記筐体内に設けられた送風機と、前記筐体内に設けられ、前記複数の加熱手段を駆動する駆動回路が実装された回路基板と、前記収納庫に収納される収納庫ケースと、内部に加熱室を有する加熱ケース及び前記加熱室内を加熱する第２加熱手段を有し、前記収納庫に収納される加熱ユニットとを備え、前記複数の加熱手段は、第１加熱コイルと、前記第１加熱コイルよりも質量が大きい第２加熱コイルとを含み、平面視において、前記第２加熱コイルの過半領域が、前記収納庫と重なる位置に配置されており、前記収納庫は、前記筐体の高さ方向の中心よりも一方側に配置され、前記送風機及び前記回路基板は、前記筐体の高さ方向の中心よりも高さ方向の他方側に配置されており、前記収納庫ケースと前記加熱ユニットとが、選択的に前記収納庫に収納されるものである。
【発明の効果】
【０００８】
本発明によれば、筐体内に収納庫を設けた加熱調理器の持ち運びやすさを向上させることができる。
【図面の簡単な説明】
【０００９】
【図１】実施の形態１に係る加熱調理器が設置されたキッチン家具の斜視図である。
【図２】実施の形態１に係る加熱調理器の斜視図である。
【図３】実施の形態１に係る加熱調理器の分解斜視図である。
【図４】実施の形態１に係る加熱調理器の、トッププレート及び加熱手段が取り外された状態の斜視図である。
【図５】実施の形態１に係る加熱調理器の内部構造を説明する図である。
【図６】実施の形態１に係る加熱調理器に搭載された部品の配置及び重心を説明する図である。
【図７】実施の形態１に係る加熱調理器の重心を説明する図である。
【図８】実施の形態２に係る加熱調理器が設置されたキッチン家具の斜視図である。
【図９】実施の形態２に係る加熱調理器の斜視図である。
【図１０】実施の形態２に係る加熱調理器の分解斜視図である。
【図１１】実施の形態２に係る加熱調理器の、収納庫を通る前後断面図である。
【図１２】実施の形態２に係る加熱調理器の、収納庫を通る左右断面図である。
【図１３】実施の形態３に係る加熱調理器が設置されたキッチン家具の斜視図である。
【図１４】実施の形態３に係る加熱調理器の斜視図である。
【図１５】実施の形態３に係る加熱調理器の分解斜視図である。
【図１６】実施の形態４に係る加熱調理器の分解斜視図である。
【図１７】実施の形態４に係る加熱ユニットの分解斜視図である。
【図１８】実施の形態４に係る加熱調理器の、収納庫を通る前後断面図である。
【図１９】実施の形態４に係る加熱調理器の、収納庫を通る左右断面図である。
【発明を実施するための形態】
【００１０】
以下、本発明に係る加熱調理器の実施の形態を、図面を参照して説明する。なお、以下に示す図面の形態によって本発明が限定されるものではない。また、以下の説明において、理解を容易にするために方向を表す用語（例えば「上」、「下」、「右」、「左」、「前」、「後」など）を適宜用いるが、これは説明のためのものであって、これらの用語は本発明を限定するものではない。また、各図において、同一の符号を付したものは、同一の又はこれに相当するものであり、これは明細書の全文において共通している。なお、各図面では、各構成部材の相対的な寸法関係又は形状等が実際のものとは異なる場合がある。
【００１１】
実施の形態１．
図１は、実施の形態１に係る加熱調理器が設置されたキッチン家具の斜視図である。図１に示すように、キッチン家具２００には、加熱調理器１００が組み込まれている。キッチン家具２００の内部には加熱調理器１００の筐体１（図２参照）が嵌め込まれる収容部（図示せず）が形成され、キッチン家具２００の天面には作業台として使用される平板状の天板２０１が設けられている。加熱調理器１００がキッチン家具２００に組み込まれた状態において、天板２０１の上に加熱調理器１００のトッププレート２が露出している。トッププレート２には、一又は複数の加熱口が設けられており、図１では説明のために、トッププレート２の上で加熱される調理容器７０を併せて図示している。
【００１２】
キッチン家具２００の内部には、調理器具や調味料などの収納物が収納されるキッチン収納庫２０２が設けられている。キッチン家具２００の前面には、キッチン収納庫２０２の前面に形成された開口を開閉するキッチン収納庫扉２０３が設けられている。キッチン収納庫扉２０３には、キッチン収納庫扉２０３が開閉されるときに取っ手として使用される手掛部２０４が設けられている。使用者が手掛部２０４を手前側に引くと、手掛部２０４が設けられたキッチン収納庫扉２０３が開く。キッチン収納庫扉２０３は、奥行き方向にスライド移動する構成としてもよいし、キッチン収納庫扉２０３の側方、下方又は上方に取り付けられたヒンジを介して開閉される構成であってもよい。なお、本明細書において加熱調理器１００の「前面」、キッチン家具２００の「前面」というときには、加熱調理器１００又はキッチン家具２００の使用者と対向する面をいうものとする。
【００１３】
加熱調理器１００の前面には、加熱調理器１００内の収納庫２０（図３参照）の前面に設けられた開口部を開閉する収納庫扉２２が露出している。
【００１４】
図２は、実施の形態１に係る加熱調理器の斜視図である。加熱調理器１００は、内部に部品を収納する金属で構成された筐体１を有し、この筐体１の上には被加熱物である調理容器が載置されるトッププレート２が設けられている。トッププレート２は、例えば耐熱性ガラスやセラミック等の非金属材料で構成され、本実施の形態では周囲を金属製の枠で囲まれている。
【００１５】
加熱調理器１００は、第１加熱口である加熱口３ａと、第２加熱口である加熱口３ｂと、加熱口３ｃとを備えている。トッププレート２の表面又は裏面には、被加熱物が載置される加熱口３ａ〜３ｃの位置の目印となる表示が施されている。
【００１６】
図３は、実施の形態１に係る加熱調理器の分解斜視図である。加熱調理器１００の筐体１は、上面を開口した概ね箱型の形状を有する。加熱調理器１００の筐体１の内部には、トッププレート２の上に載置される被加熱物の加熱手段として、第１加熱コイル６と、第２加熱コイル７と、ラジエントヒーター８とが設けられている。第１加熱コイル６、第２加熱コイル７及びラジエントヒーター８は、それぞれ、加熱口３ａ、加熱口３ｂ及び加熱口３ｃに対応して設けられている。本実施の形態では、第１加熱コイル６と第２加熱コイル７とが筐体１の幅方向に並んで筐体１内の手前側に配置され、ラジエントヒーター８が、第１加熱コイル６及び第２加熱コイル７の間であってこれらの奥側に配置されている。なお、本実施の形態では複数の加熱手段が設けられていればよく、ラジエントヒーター８に代えて加熱コイルを設けてもよい。また、図３の例では複数の加熱手段が前後二列に配置されているが、複数の加熱手段が筐体１の幅方向に一列に配置されていてもよい。
【００１７】
筐体１の内部には、第１加熱コイル６及び第２加熱コイル７に高周波電流を供給するインバータである駆動回路、ラジエントヒーター８に電源を供給する回路及び制御回路が実装された回路基板１０が収容されている。加熱調理器１００の制御回路は、使用者からの操作入力に基づいて加熱手段を制御して、トッププレート２の上に載置される被加熱物を加熱する。また、加熱調理器１００は、予め定められた制御シーケンスにしたがった加熱制御が行われる調理メニューを備えていてもよい。
【００１８】
筐体１の内部であって、第１加熱コイル６の後方には、送風機９が設けられている。送風機９は、筐体１内に冷却風を送出し、回路基板１０に実装された発熱部品及び第１加熱コイル６及び第２加熱コイル７を冷却する。本実施の形態の送風機９は、複数の羽根と、羽根を回転させるモータと、羽根及びモータを収容するケーシングとを含んでいる。
【００１９】
筐体１の内部には、概ね直方体の収納庫２０が区画形成されている。収納庫２０を筐体１内に区画形成する壁を、隔壁２１と総称する。収納庫２０の前面には開口部が設けられており、この開口部を、収納庫扉２２が開閉する。
【００２０】
収納庫扉２２には、上面を開口した箱状の収納庫ケース２３が接続されている。収納庫扉２２及び収納庫ケース２３を、収納庫２０の隔壁２１に対して変位可能に支持する開閉機構として、本実施の形態では、固定レール２４及び可動レール２５が設けられている。左右一対の固定レール２４は、収納庫２０の隔壁２１の左右の内面にそれぞれ設けられている。同じく左右一対の可動レール２５は、収納庫ケース２３の左右の側面の下部にそれぞれ設けられている。可動レール２５は、固定レール２４に摺動可能に係合し、収納庫扉２２の開閉に伴って可動レール２５が固定レール２４に沿って移動する。収納庫扉２２及び収納庫ケース２３は、固定レール２４及び可動レール２５を介して、収納庫２０に対して着脱可能に保持されている。収納庫ケース２３には、例えば加熱調理器１００での加熱に利用される調理容器７０が収容されるほか、調味料などが収容されることが想定される。このため、収納庫ケース２３には衛生性が要求される一方で、加熱調理器１００の周囲は調理作業に伴って飛散する食材、油煙、及び水蒸気等で汚れやすい。本実施の形態のように収納庫ケース２３を収納庫２０に対して着脱可能な構成とすることで、使用者は収納庫ケース２３の清掃を行いやすい。なお、加熱調理器１００が上述の調理メニューを備えている場合には、その調理メニューでの加熱調理に使用される調理容器が収容できるように、収納庫ケース２３の容積を定めるとよい。このように専用の調理容器を収納庫ケース２３に収納できるようにすることで、調理の作業性を高めることができる。
【００２１】
図４は、実施の形態１に係る加熱調理器の、トッププレート及び加熱手段が取り外された状態の斜視図である。第１加熱コイル６及び第２加熱コイル７（図３参照）の下側には、送風機９から供給される冷却風を導くコイル冷却ダクト１１が設けられている。コイル冷却ダクト１１は、送風機９の吹出口に連通する入口を有するとともに、第１加熱コイル６及び第２加熱コイル７に連通する複数の吹出口を有し、送風機９からの冷却風が複数の吹出口から分散して第１加熱コイル６及び第２加熱コイル７に供給される。このように、コイル冷却ダクト１１は、第１加熱コイル６及び第２加熱コイル７の冷却を補助する機能を有する。
【００２２】
図５は、実施の形態１に係る加熱調理器の内部構造を説明する図である。図５は、図４に示した構成からコイル冷却ダクト１１が取り外された状態の、背面側斜視図である。収納庫２０を形成する隔壁２１の天面の上側には、第１対向壁１２が設けられている。また、収納庫２０を形成する隔壁２１の側面の外側には、第２対向壁１３が設けられている。第１対向壁１２及び第２対向壁１３は、例えば金属製の平板状の部材であり、収納庫２０を形成する隔壁２１との間に隙間をあけて設けられている。第１対向壁１２は、トッププレート２（図３参照）の平板面と概ね平行に配置され、第２対向壁１３は、第１対向壁１２及び筐体１の底面に概ね垂直に配置されている。
【００２３】
第２対向壁１３を境として、筐体１の幅方向の一方側に収納庫２０が配置され、他方側に回路基板１０及び送風機９が配置されている。
【００２４】
図６は、実施の形態１に係る加熱調理器に搭載された部品の配置及び重心を説明する図である。図６は、加熱調理器１００の送風機９を通る水平断面を示している。図６において、筐体１の幅方向（図６の紙面左右方向）の中心を、符号Ｌ１を付加した一点鎖線で示している。収納庫２０は、その過半領域が、中心線Ｌ１よりも筐体１の幅方向の一方側である左側に配置されている。また、送風機９及び回路基板１０は、それらの過半領域が、中心線Ｌ１よりも筐体１の幅方向の他方側である右側に配置されている。
【００２５】
次に、重心について説明する。ここで、収納庫２０の重心について説明するときには、収納庫２０を形成する隔壁２１全体と、収納庫扉２２と、収納庫扉２２に接続されている部品（収納庫ケース２３、固定レール２４及び可動レール２５）全体の重心として説明する。また、回路基板１０は、基板１０ａと、基板１０ａに実装され第１加熱コイル６及び第２加熱コイル７を駆動するインバータ１０ｂとを含んでいる。なお、基板１０ａにはインバータ１０ｂ以外の回路や部品も実装されるが、回路基板１０の重心について説明するときには、説明の都合上、比較的質量の大きい部品であるインバータ１０ｂと基板１０ａとによって回路基板１０が構成されているものとして説明する。また、送風機９には必要に応じて吸気ダクトや吹出ダクトが一体に設けられうるが、送風機９の重心について説明するときには、説明の都合上、複数の羽根と、羽根を回転させるモータと、羽根及びモータを収容するケーシングとによって送風機９が構成されているものとして説明する。
【００２６】
図６では、収納庫２０の重心は、符号Ｇ２で示されている。また、送風機９及び回路基板１０の重心は、符号Ｇ３で示されている。図６に示されるように、収納庫２０の重心Ｇ２と、送風機９及び回路基板１０の重心Ｇ３とは、筐体１の幅方向の中心線Ｌ１に対して反対側の領域に設けられている。すなわち、中心線Ｌ１よりも左側に収納庫２０の重心Ｇ２が配置され、中心線Ｌ２の右側に送風機９及び回路基板１０の重心Ｇ３が配置されている。
【００２７】
このように、本実施の形態の加熱調理器１００においてそれぞれ１つずつ設けられる収納庫２０、送風機９及び回路基板１０の重心を、収納庫２０と送風機９及び回路基板１０とで中心線Ｌ１を挟んで反対側に配置したことで、加熱調理器１００の全体の重心を、筐体１の幅方向の中心に近づけやすくなる。加熱調理器１００全体の重心を、筐体１の幅方向の中心に近づけることで、加熱調理器１００の左右を把持したときに作業者にかかる荷重の左右のバランスがよくなり、加熱調理器１００の持ち運びやすさを向上させることができる。したがって、加熱調理器１００の運搬性及び据付時の作業性を良好にすることができる。
【００２８】
図７は、実施の形態１に係る加熱調理器の重心を説明する図である。図７では、加熱調理器１００のトッププレート２を透視した平面図を示している。図７において、複数の加熱手段のうち筐体１内の最も右端に位置する第１加熱コイル６の幅方向の中心を、符号Ｌ２を付加した一点鎖線で示している。また、複数の加熱手段のうち筐体１内の最も左端に位置する第２加熱コイル７の幅方向の中心を、符号Ｌ３を付加した一点鎖線で示している。加熱調理器１００の重心は、符号Ｇ１で示されている。
【００２９】
ここで、加熱調理器１００の重心というときには、運搬や施工のために持ち運びに供される状態の加熱調理器１００の重心をいうものとする。本実施の形態では、収納庫２０の隔壁２１、収納庫扉２２、収納庫ケース２３、固定レール２４及び可動レール２５を含め、通常の加熱動作をするのに必要なすべての部品が実装された状態の加熱調理器１００（図３に示した加熱調理器１００の構成の全体）の重心をいうものとして、説明する。
【００３０】
図７に示すように、加熱調理器１００の重心Ｇ１が、筐体１の幅方向の端部（左右の端部）よりも、中心線Ｌ１に近い位置に配置されるように、加熱調理器１００を構成する各部品を配置する。より好ましくは、加熱調理器１００の重心Ｇ１が、筐体１の幅方向の中心線Ｌ１上に位置するように、加熱調理器１００を構成する各部品を配置する。このようにすることで、加熱調理器１００の左右を把持したときに作業者にかかる荷重の左右のバランスがよくなり、加熱調理器１００の持ち運びやすさを向上させることができる。
【００３１】
加熱調理器１００の重心Ｇ１と加熱手段の配置に着目すると、複数の加熱手段のうち、筐体１の幅方向の両端部に配置される加熱手段の中心同士の間、すなわち第１加熱コイル６の中心線Ｌ２と第２加熱コイル７の中心線Ｌ３との間に、加熱調理器１００の重心Ｇ１が位置している。
【００３２】
加熱手段と収納庫２０の配置に着目すると、複数の加熱手段のうち、筐体１の幅方向の両端部に配置される加熱手段の中心同士の間、すなわち第１加熱コイル６の中心線Ｌ２と第２加熱コイル７の中心線Ｌ３との間に、収納庫２０の少なくとも一部が配置されている。
【００３３】
図７では、外径及び質量がほぼ同じである第１加熱コイル６と第２加熱コイル７の２つの加熱手段を、筐体１の幅方向に並べて配置した例を示しているが、質量の異なる第１加熱コイル６と第２加熱コイル７を設けることもできる。この場合、筐体１を平面視した状態において、質量が大きい方の加熱コイルを、当該加熱コイルの過半領域が収納庫２０と重なるように配置する。このように、運搬や据付の際に空の状態である収納庫２０と、相対的に重い方の加熱コイルとを重ねて配置することで、加熱調理器１００の左右を把持したときに作業者にかかる荷重の左右のバランスがよくなり、加熱調理器１００の持ち運びやすさを向上させることができる。
【００３４】
また、収納庫２０を区画形成する隔壁２１を、金属で構成し、回路基板１０の基板１０ａを、金属よりも比重の小さい材料で構成してもよい。図７に示す構成において、重心Ｇ１が中心線Ｌ１よりも回路基板１０側に位置している場合には、隔壁２１を基板１０ａよりも重くすることで、重心Ｇ１を筐体１の中心線Ｌ１に近づけることができる。
【００３５】
実施の形態２．
本実施の形態２は、筐体１内に形成される収納庫の数が、実施の形態１と異なる。以下、実施の形態１との相違点を中心に説明する。
【００３６】
図８は、実施の形態２に係る加熱調理器が設置されたキッチン家具の斜視図である。図９は、実施の形態２に係る加熱調理器の斜視図である。図１０は、実施の形態２に係る加熱調理器の分解斜視図である。本実施の形態の加熱調理器１００Ａは、２つの収納庫２０、２０Ａが設けられている。収納庫２０及び収納庫２０Ａは、概ね同じ寸法で構成されており、筐体１の幅方向に並べて設けられている。収納庫２０Ａを区画形成する隔壁２１Ａ、収納庫２０Ａの前面開口を開閉する収納庫扉２２Ａ、収納庫ケース２３Ａ、固定レール２４Ａ及び可動レール２５Ａは、実施の形態１で説明した収納庫２０に対応する隔壁２１、収納庫扉２２、収納庫ケース２３、固定レール２４及び可動レール２５と同様の構成である。
【００３７】
図１１は、実施の形態２に係る加熱調理器の、収納庫を通る前後断面図である。図１１では、筐体１の幅方向の右側に設けられた収納庫２０Ａを通る断面を示している。図１２は、実施の形態２に係る加熱調理器の、収納庫を通る左右断面図である。図１２では、送風機９を通る断面を背面側から見た図を示している。図１０〜図１２に示すように、本実施の形態では、第１加熱コイル６、第２加熱コイル７、ラジエントヒーター８、送風機９及び回路基板１０は、収納庫２０及び収納庫２０Ａよりも上側に配置されている。
【００３８】
収納庫２０及びその付帯部品と、収納庫２０Ａ及びその付帯部品とは、同様の構成であるので、収納庫２０及び収納庫２０Ａの重心は、筐体１の幅方向の概ね中心に位置する。このため、収納庫２０及び収納庫２０Ａの重心は、加熱調理器１００Ａの左右が把持されたときに作業者にかかる荷重のバランスを崩すような影響を与えにくい。
【００３９】
加熱調理器１００Ａの各部の重心を、筐体１の高さ方向でみると、第１加熱コイル６、第２加熱コイル７、ラジエントヒーター８、送風機９及び回路基板１０の重心は、筐体１の高さ方向の中心よりも上側に配置されている。また、収納庫２０及び収納庫２０Ａの重心は、筐体１の高さ方向の中心よりも下側に配置されている。このように、加熱調理器１００Ａの主要な構成の重心の配置を、高さ方向の一方側と他方側とに分散して配置することで、加熱調理器１００Ａの運搬性及び据付性を向上させることができる。
【００４０】
本実施の形態においても、加熱調理器１００Ａの重心を、筐体１の幅方向の端部（左右の端部）よりも、幅方向の中心に近い位置に配置するのが好ましい。本実施の形態では、概ね同じ構造及び大きさの収納庫２０と収納庫２０Ａとを、筐体１の幅方向に並べて配置したので、収納庫２０及び収納庫２０Ａの重心を筐体１の幅方向の中心に近づけやすい。したがって、収納庫２０Ａの上側に配置される部品の位置を調整することで、加熱調理器１００Ａの重心を、筐体１の幅方向の中心に近づけやすくなる。このように加熱調理器１００Ａの重心を筐体１の幅方向の中心近づけることで、加熱調理器１００Ａの左右を把持したときに作業者にかかる荷重の左右のバランスがよくなり、加熱調理器１００Ａの持ち運びやすさを向上させることができる。これにより、加熱調理器１００の運搬性及び据付時の作業性を良好にすることができる。
【００４１】
実施の形態３．
本実施の形態３は、筐体１内に形成される収納庫の形状が、実施の形態１と異なる。以下、実施の形態１との相違点を中心に説明する。
【００４２】
図１３は、実施の形態３に係る加熱調理器が設置されたキッチン家具の斜視図である。図１４は、実施の形態３に係る加熱調理器の斜視図である。図１５は、実施の形態３に係る加熱調理器の分解斜視図である。本実施の形態の加熱調理器１００Ｂは、１つの収納庫２０Ｂを備えているという点では実施の形態１と同様であるが、この収納庫２０Ｂの大きさ及び配置が異なる。図１３〜図１５に示すように、収納庫２０Ｂは、筐体１の幅方向の中心に配置されている。また、収納庫２０Ｂは、筐体１の幅方向の中心よりも右側の過半領域及び左側の過半領域に渡って設けられている。好ましくは、収納庫２０Ｂを構成する隔壁２１Ｂのうち左右の隔壁を、筐体１の左右の側面に近い位置に設け、筐体１の内寸と収納庫２０Ｂの内寸とを略同一とする。このようにすることで、収納庫２０Ｂの収納容積を大きくすることができる。本実施の形態の収納庫２０Ｂに対応して設けられた、収納庫扉２２Ｂ、収納庫ケース２３Ｂ、固定レール２４Ｂ及び可動レール２５Ｂは、実施の形態１で説明した収納庫２０に対応する収納庫扉２２、収納庫ケース２３、固定レール２４及び可動レール２５とは大きさ及び配置は異なるが、同様の機能を有する。
【００４３】
図１５に示されるように、本実施の形態では、第１加熱コイル６、第２加熱コイル７、ラジエントヒーター８、送風機９及び回路基板１０は、収納庫２０Ｂよりも上側に配置されている。
【００４４】
また、第１加熱コイル６、第２加熱コイル７、ラジエントヒーター８、送風機９及び回路基板１０の重心は、筐体１の高さ方向の中心よりも上側に配置され、収納庫２０Ｂの重心は、筐体１の高さ方向の中心よりも下側に配置されている。このように、加熱調理器１００Ｂの主要な構成の重心の配置を、高さ方向の一方側と他方側とに分散して配置することで、加熱調理器１００Ｂの可搬性及び据付性を向上させることができる。
【００４５】
本実施の形態においても、加熱調理器１００Ｂの重心を、筐体１の幅方向の端部（左右の端部）よりも、幅方向の中心に近い位置に配置するのが好ましい。本実施の形態の収納庫２０Ｂは、筐体１の幅方向の内寸とほぼ同じ幅を有するので、収納庫２０Ｂの重心を筐体１の幅方向の中心に近づけやすい。したがって、収納庫２０Ｂの上側に配置される部品の位置を調整することで、加熱調理器１００Ｂの重心を、筐体１の幅方向の中心に近づけやすくなる。このよう加熱調理器１００Ｂの重心を筐体１の幅方向の中心近づけることで、加熱調理器１００Ｂの左右を把持したときに作業者にかかる荷重の左右のバランスがよくなり、加熱調理器１００Ｂの持ち運びやすさを向上させることができる。これにより、加熱調理器１００の運搬性及び据付時の作業性を良好にすることができる。
【００４６】
実施の形態４．
本実施の形態４は、筐体１に形成された収納庫に、加熱室を有する加熱ユニットと、収納ケースとを、選択的に収納できるように構成したものである。本実施の形態では、実施の形態２との相違点を中心に説明する。本実施の形態で示す加熱調理器１００Ｃがキッチン家具２００に組み込まれたときの図は、図８と同様である。
【００４７】
図１６は、実施の形態４に係る加熱調理器の分解斜視図である。加熱調理器１００Ｃは、実施の形態２で示したように２つの収納庫２０及び収納庫２０Ａを備えている。収納庫２０Ａには、実施の形態２で示した収納庫ケース２３Ａと、加熱ユニット３０とが、選択的に収納される。
【００４８】
図１７は、実施の形態４に係る加熱ユニットの分解斜視図である。加熱ユニット３０は、内部に加熱室を有する上面を開口した加熱ケース３１と、加熱ケース３１の上面の開口を開閉自在に覆う蓋体３２とを備える。蓋体３２には、上方加熱手段３３が設けられ、加熱ケース３１の底部には、下方加熱手段３４が設けられている。第２加熱手段である上方加熱手段３３及び下方加熱手段３４は、加熱ケース３１内の加熱室を加熱するものであり、例えば、電気ヒータや加熱コイル等で構成される。なお、上方加熱手段３３と下方加熱手段３４のいずれか一方のみを設けてもよいし、加熱ケース３１の側面に加熱手段を設けてもよい。加熱室を加熱する加熱手段の数、配置及び具体的構成によっては、本発明は限定されない。
【００４９】
加熱調理器１００Ｃには、加熱ユニット３０の上方加熱手段３３及び下方加熱手段３４に給電する図示しない給電機構が設けられている。加熱ユニット３０が収納庫２０Ａに収納された状態において、給電機構の接点と上方加熱手段３３及び下方加熱手段３４の接点とが電気的に接続され、上方加熱手段３３及び下方加熱手段３４に給電が行われるようになっている。
【００５０】
加熱ケース３１の左右の外側面の下部には、左右一対の可動レール３５が設けられている。可動レール３５は、収納庫２０Ａの隔壁２１Ｂに設けられた固定レール２４Ａに摺動可能に係合する。可動レール３５は、固定レール２４Ａに対して着脱可能である。加熱ケース３１の前面側には、概ね平板状の加熱ケース扉３６が設けられている。加熱ケース扉３６は、収納庫扉２２Ａと同様に、収納庫２０Ａの前面の開口部を開閉する。
【００５１】
このように構成された加熱ユニット３０の加熱ケース３１内には、図１７で例示するように、トッププレート２の上で加熱される調理容器７０を収納して加熱することもできる。
【００５２】
図１８は、実施の形態４に係る加熱調理器の、収納庫を通る前後断面図である。図１８では、加熱ユニット３０が収納された状態の収納庫２０Ａを通る断面を示している。図１９は、実施の形態４に係る加熱調理器の、収納庫を通る左右断面図である。図１９では、送風機９を通る断面を前面側から見た図を示している。収納庫２０Ａに収納された加熱ユニット３０を除いて、加熱調理器１００Ｃは、実施の形態２の加熱調理器１００Ａと同じ構成である。
【００５３】
本実施の形態によれば、実施の形態２と同様の効果を得ることができる。加えて、収納庫２０Ａに収納される加熱ユニット３０を備えたので、使用者の加熱調理に関する自由度を高めることができ、加熱調理器１００Ｃの使い勝手を向上させることができる。
【００５４】
なお、加熱ユニット３０が収納される収納庫２０Ａとそれに隣接する収納庫２０との間には、断熱層を設けてもよい。この場合の断熱層としては、２枚の平板部材の隙間に設けられた空気層であってもよいし、空気層に代えてあるいは空気層に加えて、断熱材を設けてもよい。断熱材は、例えば、合成樹脂材料、独立気泡を有するゴム系又はウレタン系のフォーム材、グラス繊維、セラミック繊維等で構成することができる。このようにすることで、加熱ユニット３０の熱に対する、収納庫２０への断熱性が高まり、収納庫２０内の温度上昇を抑制することができる。したがって、収納庫２０の収納物の熱による劣化を抑制することができる。また、収納庫２０の収納庫扉２２が開かれたときに熱気が使用者に伝わることによる、使用者の違和感及び不快感を軽減することができる。
【００５５】
なお、本実施の形態では、２つの収納庫２０、２０Ａを設けた例を示したが、実施の形態１、３で示した収納庫２０、２０Ｂに、加熱ユニット３０を収納可能な構成としてもよい。
【００５６】
また、実施の形態１〜４では、キッチン家具２００に設けられた収納部に筐体１が収納されるいわゆる組み込み型の加熱調理器を例に説明したが、据え置き型の加熱調理器に本発明を適用することもできる。
【符号の説明】
【００５７】
１  筐体、２  トッププレート、３ａ  加熱口、３ｂ  加熱口、３ｃ  加熱口、６  第１加熱コイル、７  第２加熱コイル、８  ラジエントヒーター、９  送風機、１０  回路基板、１０ａ  基板、１０ｂ  インバータ、１１  コイル冷却ダクト、１２  第１対向壁、１３  第２対向壁、２０  収納庫、２０Ａ  収納庫、２０Ｂ  収納庫、２１  隔壁、２１Ａ  隔壁、２１Ｂ  隔壁、２２  収納庫扉、２２Ａ  収納庫扉、２２Ｂ  収納庫扉、２３  収納庫ケース、２３Ａ  収納庫ケース、２３Ｂ  収納庫ケース、２４  固定レール、２４Ａ  固定レール、２４Ｂ  固定レール、２５  可動レール、２５Ａ  可動レール、２５Ｂ  可動レール、３０  加熱ユニット、３１  加熱ケース、３２  蓋体、３３  上方加熱手段、３４  下方加熱手段、３５  可動レール、３６  加熱ケース扉、７０  調理容器、１００  加熱調理器、１００Ａ  加熱調理器、１００Ｂ  加熱調理器、１００Ｃ  加熱調理器、２００  キッチン家具、２０１  天板、２０２  キッチン収納庫、２０３  キッチン収納庫扉、２０４  手掛部、Ｇ１  重心、Ｇ２  重心、Ｇ３  重心、Ｌ１  中心線、Ｌ２  中心線、Ｌ３  中心線。
【図１】
0006715935.tif 000002
【図２】
0006715935.tif 000003
【図３】
0006715935.tif 000004
【図４】
0006715935.tif 000005
【図５】
0006715935.tif 000006
【図６】
0006715935.tif 000007
【図７】
0006715935.tif 000008
【図８】
0006715935.tif 000009
【図９】
0006715935.tif 000010
【図１０】
0006715935.tif 000011
【図１１】
0006715935.tif 000012
【図１２】
0006715935.tif 000013
【図１３】
0006715935.tif 000014
【図１４】
0006715935.tif 000015
【図１５】
0006715935.tif 000016
【図１６】
0006715935.tif 000017
【図１７】
0006715935.tif 000018
【図１８】
0006715935.tif 000019
【図１９】
0006715935.tif 000020